(57)【要約】      （修正有）【課題】使用者が各化粧品の使用順序を明確に視認することができ、趣向性を有する化粧品セットを提供する。【解決手段】クレンジング剤・洗顔剤・保湿剤・整肌剤・保護剤等の機能を異にする化粧品からなる化粧品セットであって、各化粧品の使用順序を表示する番号を化粧品又はその包装体に表示してある化粧品セットにおいて、各化粧品又はその包装体には、１から始まり最終使用順序で終わる番号までの番号表示をする。また符号・記号・絵文字・象形文字・絵画から選ばれる抽象印が、該番号表示毎に表示し、使用順序が前記番号表示毎の抽象印を変化させた表示で示す。【選択図】図１
0003144590.tif 000002
【実用新案登録請求の範囲】
【請求項１】
クレンジング剤・洗顔剤・保湿剤・整肌剤・保護剤等の機能を異にする化粧品からなる化粧品セットであって、各化粧品の使用順序を表示する番号を化粧品又はその包装体に表示してある化粧品セットにおいて、
各化粧品又はその包装体には、１から始まり最終使用順序で終わる番号までの番号表示があり、
且つ符号・記号・絵文字・象形文字・絵画から選ばれる抽象印が、上記番号表示毎に表示してあり、
使用順序が前記番号表示毎の抽象印を変化させた表示で示されていることを特徴とする化粧品セット。
【請求項２】
抽象印を変化させた表示が、使用順序相当個所のみ表示してあることを特徴とする請求項１に記載の化粧品セット。
【請求項３】
抽象印を変化させた表示が、使用順序が後方になるに従って、使用順序相当分だけ増加表示してあることを特徴とする請求項１に記載の化粧品セット。
【請求項４】
前記化粧品セットがクレンジング剤、洗顔剤、保湿剤、整肌剤からなり、使用順序が（１）クレンジング剤、（２）洗顔剤、（３）保湿剤、（４）整肌剤の順であることを表示する番号表示及び抽象印を各々に付してあることを特徴とする請求項１〜３のいずれかに記載の化粧品セット。
【請求項５】
抽象印が、４つのダイヤマークをダイヤ形状に並列し、各４つのダイヤマークに１ないし４の数字を付記してなっていることを特徴とする請求項１〜４のいずれかに記載の化粧品セット。
【請求項６】
抽象印が、色彩分けによって機能別の化粧品毎に識別されていることを特徴とする請求項１〜５のいずれかに記載の化粧品セット。
【請求項７】
化粧品の種類、機能、又は効果・効能の如き特徴を表す記号又は略号が併記してあることを特徴とする請求項１〜６のいずれかに記載の化粧品セット。
【請求項８】
抽象印を変化させた表示が、色彩分けによって朝用化粧品と夜用化粧品とに識別されていることを特徴とする請求項１〜７のいずれかに記載の化粧品セット。
【請求項９】
前記化粧品セットには化粧用具が含まれており、前記番号表示及び抽象印を付された化粧品を使用する際に用いる化粧用具に同一の番号表示及び抽象印を付してあることを特徴とする請求項１〜８のいずれかに記載の化粧品セット。
【請求項１０】
請求項１〜９のいずれかに記載の化粧品セットであって、クレンジング剤・洗顔剤・保湿剤・整肌剤・保護剤等の機能を異にする化粧品のいずれかの機能の化粧品が成分を異にする複数個存在する時に、同じ機能を有する複数の化粧品の各々の成分を表す記号又は略号が併記してあることを特徴とする化粧品セット。
【考案の詳細な説明】
【技術分野】
【０００１】
本考案は化粧品セットに関し、詳しくは各化粧品の使用順序を表示する番号を化粧品又はその包装体に表示してある化粧品セットに関する。
【背景技術】
【０００２】
従来から、複数種の化粧品からなる化粧品セットにおいて、各化粧品の使用順序を表示する番号を、化粧品又はその包装体に表示する化粧品セットが知られている（特許文献１）。
【特許文献１】特開２００２−０００３４４
【考案の開示】
【考案が解決しようとする課題】
【０００３】
特許文献１には、互いにカテゴリーの異なる少なくとも２種類のスキンケア用化粧料を組み合わせた化粧料セットについての技術であって、各化粧料には、使用する順序を間違えないよう、「１ａ」、「１ｂ」、「２」、「３」という番号が、それぞれの容器に表示されている化粧料セットが開示されている。
【０００４】
しかし、特許文献１に記載の技術では、化粧料に表示されているのは番号のみであり、番号を見間違え、使用順序が後先きになる不都合が生じるばかりでなく、美容に係る製品に対する趣向性も劣るという欠点があった。
【０００５】
そこで本考案の課題は、使用者が各化粧品の使用順序を明確に視認することができ、趣向性を有する化粧品セットを提供することにある。
【課題を解決するための手段】
【０００６】
上記課題を解決する本考案は下記構成を有する。
【０００７】
１．クレンジング剤・洗顔剤・保湿剤・整肌剤・保護剤等の機能を異にする化粧品からなる化粧品セットであって、各化粧品の使用順序を表示する番号を化粧品又はその包装体に表示してある化粧品セットにおいて、
各化粧品又はその包装体には、１から始まり最終使用順序で終わる番号までの番号表示があり、
且つ符号・記号・絵文字・象形文字・絵画から選ばれる抽象印が、上記番号表示毎に表示してあり、
使用順序が前記番号表示毎の抽象印を変化させた表示で示されていることを特徴とする化粧品セット。
【０００８】
２．抽象印を変化させた表示が、使用順序相当個所のみ表示してあることを特徴とする上記１に記載の化粧品セット。
【０００９】
３．抽象印を変化させた表示が、使用順序が後方になるに従って、使用順序相当分だけ増加表示してあることを特徴とする上記１に記載の化粧品セット。
【００１０】
４．前記化粧品セットがクレンジング剤、洗顔剤、保湿剤、整肌剤からなり、使用順序が（１）クレンジング剤、（２）洗顔剤、（３）保湿剤、（４）整肌剤の順であることを表示する番号表示及び抽象印を各々に付してあることを特徴とする上記１〜３のいずれかに記載の化粧品セット。
【００１１】
５．抽象印が、４つのダイヤマークをダイヤ形状に並列し、各４つのダイヤマークに１ないし４の数字を付記してなっていることを特徴とする上記１〜４のいずれかに記載の化粧品セット。
【００１２】
６．抽象印が、色彩分けによって機能別の化粧品毎に識別されていることを特徴とする上記１〜５のいずれかに記載の化粧品セット。
【００１３】
７．化粧品の種類、機能、又は効果・効能の如き特徴を表す記号又は略号が併記してあることを特徴とする上記１〜６のいずれかに記載の化粧品セット。
【００１４】
８．抽象印を変化させた表示が、色彩分けによって朝用化粧品と夜用化粧品とに識別されていることを特徴とする上記１〜７のいずれかに記載の化粧品セット。
【００１５】
９．前記化粧品セットには化粧用具が含まれており、前記番号表示及び抽象印を付された化粧品を使用する際に用いる化粧用具に同一の番号表示及び抽象印を付してあることを特徴とする上記１〜８のいずれかに記載の化粧品セット。
【００１６】
１０．上記１〜９のいずれかに記載の化粧品セットであって、クレンジング剤・洗顔剤・保湿剤・整肌剤・保護剤等の機能を異にする化粧品のいずれかの機能の化粧品が成分を異にする複数個存在する時に、同じ機能を有する複数の化粧品の各々の成分を表す記号又は略号が併記してあることを特徴とする化粧品セット。
【考案の効果】
【００１７】
請求項１に示す考案によれば、使用者が各化粧品の使用順序を明確に視認することができ、趣向性を有する化粧品セットを提供することができる。
【００１８】
特に、番号表示に加えて視認性の高い抽象印による使用順序の表示が付されていることから、たとえ番号を見間違えたとしても視認性の高い抽象印によって二重に確認することができるので、化粧品の使用順序を間違えることなく正しく使用することができる。従って、各化粧品の効果が阻害されることなく最大効果を発揮するように使用することができるだけでなく、複数の化粧品による相乗効果を発揮するように肌の手入れを行うことができる。
【００１９】
また、抽象印が符号・記号・絵文字・象形文字・絵画から選ばれる表示であることから、番号表示のみ付した化粧品に比して趣向性を高めることができる。
【００２０】
請求項２に示す考案によれば、抽象印を見るだけで、使用順序の中のどの順番で使用する化粧品であるかが判り、使用中にあっては今現在使用している化粧品が何番目の化粧品であるかが一目瞭然となる。
【００２１】
請求項３に示す考案によれば、抽象印を見るだけで、使用順序の中のどの順番で使用する化粧品であるかが判り、使用中にあっては今現在の化粧の進捗度合を把握することができる。
【００２２】
請求項４に示す考案によれば、肌の手入れの基本セットであるクレンジング剤、洗顔剤、保湿剤、整肌剤からなる化粧品セットの各化粧品を抽象印の表示に従って順番に使用することで肌の基本的な手入れを間違えることなく正しく行うことができる。
【００２３】
請求項５に示す考案によれば、視認性の高いダイヤマークを、判別し易いダイヤ形状に並列した表示により、更に各ダイヤマークに順番を示す数字を付記したことにより、使用者が各化粧品の使用順序をより明確に視認することができる。
【００２４】
請求項６に示す考案によれば、抽象印が機能別に色彩分けされていることにより、抽象印の色を見るだけで化粧品の機能を把握することができる。
【００２５】
請求項７に示す考案によれば、併記されている記号又は略号を見るだけで、化粧品の特徴を把握することができる。
【００２６】
請求項８に示す考案によれば、使用順序だけでなく、朝と夜のいずれに使用する化粧品であるかも視認することができる。
【００２７】
請求項９に示す考案によれば、化粧用具を用いる化粧品がある場合に、当該化粧用具に使用する化粧品と同一の番号表示及び抽象印が付されていることにより、化粧用具を正しく使うことができる。従って、化粧品と化粧用具との組み合わせを間違えてしまったり、使うべき化粧用具を使い忘れて化粧品を素手で扱う等の不自由且つ非衛生的な使い方をしてしまったり等の不都合の発生を抑制することができる。
【００２８】
請求項１０に示す発明によれば、同じ機能の化粧品であっても、成分を異にする複数個存在する時、例えば、保湿剤の機能を有する化粧品が、乾燥肌用の成分を有するもの、敏感肌用の成分を有するもの、透明肌用の成分を有するもの、等のように複数個存在する時に、併記してある記号又は略号を見るだけで、特定の機能の化粧品のうちの任意の化粧品の成分を把握することができる。
【考案を実施するための最良の形態】
【００２９】
次に、添付の図面に従って、本考案を詳細に説明する。
【００３０】
図１は本考案に係る化粧品セットの化粧品に付される番号表示及び抽象印の表示の実施例を示す概略説明図、図２抽象印の他の実施例を示す概略説明図、図３は同じ機能の化粧品であって成分を異にする化粧品が複数個存在する時に併記される略号の実施例を示す概略説明図である。
【００３１】
本考案は、クレンジング剤・洗顔剤・保湿剤・整肌剤・保護剤等の機能を異にする化粧品からなる化粧品セットであり、化粧品又はその包装体には、各化粧品の使用順序を示す番号表示と抽象印が表示されている。
【００３２】
図１の（１）に示すように、符号１は化粧品の包装箱である包装体を示すものであり、該包装体１の表面には、化粧品の名称（製造者名やブランド名、化粧品種類等）や容量・内容物表示等を示す商品等表示２と共に、使用順序を示す番号表示３と抽象印４が表示されている。
【００３３】
図１の（１）〜（４）に示すように、使用順序を示す番号表示３は、「１」から始まり最終使用順序で終わる番号（本実施例では「４」）までの番号表示３がある。即ち、本実施例に示す化粧品セットは、最終使用順序「４」であることから、４つの化粧品のセットであることが判る。従って、本実施例の化粧品セットを使用して行う肌の手入れは、４つの化粧品を使用順序の表示の順番に使用することで正しく行うことができる。
【００３４】
抽象印４は、符号・記号・絵文字・象形文字・絵画から選ばれる抽象印４が、上記番号表示３毎に表示してあり、使用順序が前記番号表示３毎の抽象印４を変化させた表示で示されている。本実施例では、抽象印４として視認性の高いダイヤマークを用いており、番号表示３の「１」「２」「３」「４」の各々にダイヤマークを併記することで、ダイヤマークを判別し易いダイヤ形状に並列した表示としている。
【００３５】
即ち、
図１の（１）は、番号表示３の数字「１」に併記された抽象印４が黒塗りされた表示となっていることから使用順序が「１番目」である化粧品であることを示し、
図１の（２）は、番号表示３の数字「２」に併記された抽象印４が黒塗りされた表示となっていることから使用順序が「２番目」である化粧品であることを示し、
図１の（３）は、番号表示３の数字「３」に併記された抽象印４が黒塗りされた表示となっていることから使用順序が「３番目」である化粧品であることを示し、
図１の（４）は、番号表示３の数字「４」に併記された抽象印４が黒塗りされた表示となっていることから使用順序が「４番目」（最終使用）である化粧品であることを示している。
【００３６】
本考案の化粧品セットにセットされる化粧品の一例としては、
例えば、夜の肌の手入れ用の化粧品セットの場合、
「１番目」に使用する化粧品としては、クレンジング用の化粧品（クレンジング剤）が挙げられ、
「２番目」に使用する化粧品としては、洗顔用の化粧品（洗顔剤）が挙げられ、
「３番目」に使用する化粧品としては、保湿用の化粧品（保湿剤）が挙げられ、
「４番目」に使用する化粧品としては、整肌用の化粧品（整肌剤）が挙げられ、
また、朝の肌の手入れ用の化粧品セットの場合、
「１番目」に使用する化粧品としては、洗顔用の化粧品（洗顔剤）が挙げられ、
「２番目」に使用する化粧品としては、保湿用の化粧品（保湿剤）が挙げられ、
「３番目」に使用する化粧品としては、整肌用の化粧品（整肌剤）が挙げられ、
「４番目」に使用する化粧品としては、保護用の化粧品（保護剤）が挙げられ、
これらの各化粧品としては公知公用の化粧品をセットとして組み合わせることができる。
【００３７】
以上の構成を有する本考案の化粧品セットによれば、使用者が各化粧品の使用順序を明確に視認することができる。特に、番号表示３に加えて視認性の高い抽象印４による使用順序の表示が付されていることから、たとえ番号を見間違えたとしても視認性の高い抽象印４によって二重に確認することができるので、化粧品の使用順序を間違えることなく正しく使用することができる。従って、各化粧品の効果が阻害されることなく最大効果を発揮するように使用することができるだけでなく、複数の化粧品による相乗効果を発揮するように肌の手入れを行うことができる。また、抽象印４が符号・記号・絵文字・象形文字・絵画から選ばれる表示であることから、番号表示３のみ付した化粧品に比して趣向性を高めることができる。
【００３８】
以上、本考案に係る化粧品セットについて実施例に基づき説明したが、本考案は上記実施例に限定されず、本考案の範囲内において、例えば、下記するような他の態様を採ることもできる。
【００３９】
上記実施例は、４つの化粧品からなる化粧品セットであり、使用順序は「１」〜「４」までであったが、本考案は４つの化粧品からなる化粧品セットに限定されるものではなく、２つの化粧品からなる化粧品セット（使用順序は「１」「２」）、又は３つの化粧品からなる化粧品セット（使用順序は「」「１」「２」「３」）、或いは５つ以上の化粧品からなる化粧品セット（使用順序は「１」「２」「３」「４」「５」・・・・・）であってもよい。
【００４０】
抽象印４を変化させた表示が、図１に示す上記実施例では使用順序相当個所のみ黒塗り表示することで、使用順序の中のどの順番で使用する化粧品であるかが判るだけでなく、使用中にあっては今現在使用している化粧品が何番目の化粧品であるかが一目瞭然となる構成としていたが、使用順序が後方になるに従って使用順序相当分だけ増加表示することで、使用順序の中のどの順番で使用する化粧品であるかが判るだけでなく、使用中にあっては今現在の化粧の進捗度合を把握することができる構成とすることもできる。
【００４１】
例えば、図２では、図２の（１）に示す「１番目」に使用する化粧品の表示では、番号表示３の「１」に併記された抽象印４のみが黒塗り表示されているが、図２の（２）に示す「２番目」に使用する化粧品の表示では、番号表示３の「１」と「２」に併記された２つの抽象印４が黒塗り表示されており、図２の（３）に示す「３番目」に使用する化粧品の表示では、番号表示３の「１」「２」「３」に併記された３つの抽象印４が黒塗り表示されており、図２の（４）に示す「４番目」に使用する化粧品の表示では、番号表示３の「１」「２」「３」「４」の４つ全ての抽象印４が黒塗り表示されることで、抽象印４が全て黒塗り表示されている化粧品まで使用することで化粧が終了することを視覚的に把握できる構成となっている。尚、図１に示す実施例及び図２に示す実施例のいずれも抽象印４を変化させる表示として、該抽象印４であるダイヤマークを黒塗り表示することで示したが、本考案は黒塗り表示に限らず、他の色であってもよいし、抽象印４を切り抜き又は刳り貫き表示したり、或いは凸部又は凹部としたり、ＬＥＤ等を用いて点灯させたり等、使用順序が判るように抽象印４を変化させた表示であれば種々の態様を採ることができる。
【００４２】
また、抽象印４は、上記実施例ではダイヤマークをダイヤ形状に並列した表示としたが、ハートマーク、動物の絵、壜の絵、顔の絵、元素記号等の如き符号・記号・絵文字・象形文字・絵画から選ばれる種々様々な表示を、直線状や波状に並列したり、或いはランダムに表示したり、種々様々に並べた表示であってもよい。
【００４３】
更に、抽象印４は、色彩分けによって機能別の化粧品毎に識別されている構成とすることもできる。具体例としては、クレンジング剤・洗顔剤・保湿剤・整肌剤・保護剤等のように機能が異なる化粧品毎に、抽象印４を異なる色で表示する構成を挙げることができる。かかる構成によれば、抽象印の色を見るだけで化粧品の機能を把握することができる。
【００４４】
更に、番号表示３及び抽象印４による使用順序の表示に加えて、化粧品の種類、機能、又は効果・効能の如き特徴を表す記号又は略号を併記する構成とすることもできる。かかる構成によれば、併記されている記号又は略号を見るだけで、化粧品の特徴を把握することができる。
【００４５】
更にまた、抽象印４は、色彩分けによって朝用化粧品と夜用化粧品、或いは朝夜兼用化粧品とに識別された構成とすることもできる。かかる構成によれば、使用順序だけでなく、朝と夜のいずれに使用する化粧品であるかも視認することができる。
【００４６】
化粧品セットにセットされた化粧品に化粧用具を用いるものがある場合に、当該化粧用具に使用する化粧品と同一の番号表示及び抽象印を付した構成とすることもできる。かかる構成によれば、化粧品と化粧用具との組み合わせを間違えてしまったり、使うべき化粧用具を使い忘れて化粧品を素手で扱う等の不自由且つ非衛生的な使い方をしてしまったり等の不都合の発生を抑制することができる。尚、この場合、化粧用具は化粧品セットと共に用意して収納セットした構成であってもよいし、化粧品セットとは別体で用意された構成であってもよい。
【００４７】
また、本考案の化粧品セットは、セットされる化粧品の特定の機能が同じであっても成分を異にする化粧品が複数個存在する場合がある時に、同じ機能を有する複数の化粧品の各々の成分を表す記号又は略号が併記した構成とすることもできる。かかる構成によれば、併記してある記号又は略号を見るだけで、特定の機能の化粧品のうちの任意の化粧品の成分を把握することができる。
【００４８】
例えば、図３に示すように、保湿剤の機能を有する化粧品が、図３の（１）略号５は「Ｈ」：乾燥肌・エイジング対処用の成分（例：ヒアルロン酸等を配合）を有するもの、図３の（２）略号５は「Ａ」：透明肌・べたつき毛穴対処用の成分（例：ＡＨＡ等を配合）を有するもの、図３の（３）略号５は「Ｂ」：エイジング・縦長毛穴対処用の成分（例：アルジレリン・レチノール誘導体等を配合）を有するもの、図３の（４）略号５は「Ｃ」：透明肌・べたつき毛穴対処用の成分を有するもの、図３の（５）略号５は「Ｆ」：乾燥・エイジング・透明肌・縦長毛穴対処用の成分（例：水溶性フラーレン等を配合）を有するもの、等のように同じ機能（本実施例では保湿剤の機能）ではあるが成分が異なる化粧品が５個存在する時に、成分を表す記号又は略号（本実施例では略号）５を併記した構成とすることもできる。かかる構成によれば、併記してある記号又は略号を見るだけで、成分を把握することができる。
【００４９】
また、図３に示す実施例では、記号又は略号５の周囲に、前記５個の中の他の４個の記号又は略号５Ａを表示することで、同じ機能を有する成分を異にする化粧品の数が合計で５個であることが判ると共に、他の４個の成分が何であるかも各々の記号又は略号５Ａを見るだけで判る。
【図面の簡単な説明】
【００５０】
【図１】本考案に係る化粧品セットの化粧品に付される番号表示及び抽象印の表示の実施例を示す概略説明図
【図２】抽象印の他の実施例を示す概略説明図
【図３】同じ機能の化粧品であって成分を異にする化粧品が複数個存在する時に併記される略号の実施例を示す概略説明図。
【符号の説明】
【００５１】
１  包装体
２  商品等表示
３  番号表示
４  抽象印
５  記号又は略号
【図１】
0003144590.tif 000003
【図２】
0003144590.tif 000004
【図３】
0003144590.tif 000005